(57)【要約】      （修正有）【課題】使用の煩雑さ低減や感染の抑制などを実現するシート状物及び把持物を提供する。【解決手段】使用者が把持可能な所定広さのシート状物１の一方面１ａ及び／又は他方面１ｂの少なくとも一部に、抗ウイルス剤２が付着しているシート状物１であって、更に、所定広さのシート状部１１とシート状部１１に連結し且つ使用者が把持可能な把持部１２を有した把持物１０において、シート状部１１の一方面１１ａ及び／又は他方面１１ｂの少なくとも一部に、抗ウイルス剤２が付着している。更に、抗ウイルス剤２として、第四級アンモニウム塩やビグアナイドが付着している。【選択図】図２
0003234412.tif 000002
【実用新案登録請求の範囲】
【請求項１】
使用者が把持可能なシート状物であって、
当該シート状物は、長手方向長さと短手方向長さの差が０ｃｍ以上１０ｃｍ以下で且つ面積が２００ｃｍ２以上９００ｃｍ２以下であり、
当該シート状物は、その一方面及び／又は他方面の少なくとも一部に、抗ウイルス剤が付着していることを特徴とするシート状物。
【請求項２】
シート状部と、前記シート状部に連結し且つ使用者が把持可能な把持部を有した把持物であって、
前記シート状部は、長手方向長さと短手方向長さの差が０ｃｍ以上１０ｃｍ以下で且つ面積が２００ｃｍ２以上９００ｃｍ２以下であり、
前記シート状部は、その一方面及び／又は他方面の少なくとも一部に、抗ウイルス剤が付着していることを特徴とする把持物。
【請求項３】
請求項１に記載のシート状物又は請求項２に記載のシート状部において、その一方面及び／又は他方面の少なくとも一部に、前記抗ウイルス剤として、第四級アンモニウム塩及び／又はビグアナイドが付着していることを特徴とする請求項１に記載のシート状物又は請求項２に記載の把持物。
【考案の詳細な説明】
【技術分野】
【０００１】
本考案は、抗ウイルス剤が付着したシート状物、及び把持物に関する。
【背景技術】
【０００２】
従来、装着者が装着するマスクが知られている（特許文献１）。
このマスクは、固定部を有するマスク部と、ナノファイバー複合不織布を含み、前記マスク部と重畳するフィルター部と、前記マスク部と前記フィルター部とを接続する接続部と、前記フィルター部の外周より小さく、前記フィルター部の前記マスク部とは反対側の面に配置される環状の接着部と、を含む。
【先行技術文献】
【特許文献】
【０００３】
【特許文献１】実用新案登録第３２２７２２３号公報
【考案の概要】
【考案が解決しようとする課題】
【０００４】
しかしながら、特許文献１に記載されたマスクを装着する装着者は、飲食店内等で飲食時などには、対面等にて発話や発声をするたびに当該マスクを付け、その後、飲食をするには当該マスクを外さなくてならず、その付け外し動作が非常に煩雑となる。その結果、当該マスクの付け外し動作をせずに発話等することが増えて、飛沫等による感染のリスクが上がる。
更に、特許文献１に記載のマスクは、その固定部が装着者の耳にかけるゴム紐等であると共に、そのマスク部等には抗ウイルス剤などが塗布されていないため、マスク部や固定部等にウイルスが付着した場合、そのウイルスは暫く活性状態となって、当該マスクを頻繁に付け外しすることで、装着者は、活性状態のウイルスが自身の指先や耳、口などに何度も触れる可能性があり、接触等による感染のリスクも上がる。
【０００５】
そこで、本考案は、所定広さのシート状物やシート状部に抗ウイルス剤を付着させることにより、「使用の煩雑さ低減」や「感染の抑制」などを実現できるシート状物、把持物を提供することを目的とする。
【課題を解決するための手段】
【０００６】
本考案に係るシート状物１は、使用者が把持可能なシート状物であって、当該シート状物は、長手方向長さと短手方向長さの差が０ｃｍ以上１０ｃｍ以下で且つ面積が２００ｃｍ２以上９００ｃｍ２以下であり、当該シート状物は、その一方面及び／又は他方面の少なくとも一部に、抗ウイルス剤が付着していることを第１の特徴とする。
【０００７】
本考案に係る把持物１０は、シート状部と、前記シート状部に連結し且つ使用者が把持可能な把持部を有した把持物であって、前記シート状部は、長手方向長さと短手方向長さの差が０ｃｍ以上１０ｃｍ以下で且つ面積が２００ｃｍ２以上９００ｃｍ２以下であり、前記シート状部は、その一方面及び／又は他方面の少なくとも一部に、抗ウイルス剤が付着していることを第１の特徴とする。
【０００８】
本考案に係るシート状物１、又は、本考案に係る把持物１０の第２の特徴は、上記第１の特徴に加えて、上述したシート状物又は上述したシート状部において、その一方面及び／又は他方面の少なくとも一部に、前記抗ウイルス剤として、第四級アンモニウム塩及び／又はビグアナイドが付着している点にある。
【０００９】
これらの特徴により、所定広さのシート状物１、又は、把持物１０における所定広さのシート状部１１の一方面及び／又は他方面の少なくとも一部に、抗ウイルス剤２を付着させることによって、特許文献１とは異なり、シート状物１や把持物１０を使用する使用者Ｓは、飲食店内等で飲食時などでも、発話や発声をする際には、シート状物１そのものや、把持物１０の把持部１２を把持して、当該使用者Ｓの口の前に持ってくるだけで良く、その後、飲食をする際にも、シート状物１や把持物１０を、飲食時についたテーブル上等に置くだけで良いため、特許文献１に記載のマスクの付け外し動作よりも、煩雑さが低減される（使用の煩雑さ低減」）。その結果、当該シート状物１を使用しての発話等が増えて、飛沫等による感染が抑制できる（「感染の抑制」）。
更に、使用者Ｓは、シート状物１そのものや、把持物１０の把持部１２を把持するのみで使用できると共に、抗ウイルス剤２が塗布されているため、シート状物１や把持物１０にウイルスが付着した場合でも、そのウイルスを不活化でき、使用者Ｓは、活性状態のウイルスが、自身の指先や耳、口などに触れる可能性を低減させて、接触等による感染も抑制できる（「感染の抑制」）。
このようなシート状物１や把持物１０は、使用者Ｓの口や鼻等を覆って（cover）、新型コロナウイルス等のウイルス感染を抑制することから、「新型コロナウイルス等のウイルス感染抑制カバー」であるとも言える。
【００１０】
又、抗ウイルス剤２として、第四級アンモニウム塩やビグアナイドを付着させることによって、更なる「使用の煩雑さ低減」や「感染の抑制」などを図れる。
【考案の効果】
【００１１】
本考案に係るシート状物、把持物によると、所定広さのシート状物やシート状部に抗ウイルス剤を付着させることにより、「使用の煩雑さ低減」や「感染の抑制」などを実現できる。
【図面の簡単な説明】
【００１２】
【図１】本考案に係るシート状物、把持物と、その使用状態を示す概要図であって、（ａ）はシート状物とその使用状態を示し、（ｂ）は把持物とその使用状態を示す。
【図２】シート状物又は把持物のシート状部と、使用者との距離を示す平面概要図であって、（ａ）はシート状物と使用者との距離を示し、（ｂ）は把持物のシート状部と使用者との距離を示す。
【図３】シート状物又は把持物のシート状部の一方面と、抗ウイルス剤と、ウイルスを示す側面概要図である。
【図４】シート状物の斜視を例示する図面代用写真である。
【図５】シート状物の正面視を例示する図面代用写真である。
【図６】シート状物の背面視を例示する図面代用写真である。
【図７】シート状物の側面視を例示する図面代用写真である。
【図８】シート状物の平面視を例示する図面代用写真である。
【考案を実施するための形態】
【００１３】
＜シート状物１＞
以下、本考案の実施形態を、図面を参照して説明する。
図１〜８には、本考案に係るシート状物１が例示されている。
シート状物１は、後述する使用者Ｓが把持可能なシート状の物であり、その一方面１ａ及び／又は他方面１ｂの少なくとも一部に、後述する抗ウイルス剤２が付着している。
【００１４】
ここで、シート状物１の「一方面１ａ」とは、当該シート状物１の両面（表裏面、表面や裏面）のうち、何れか一方の面であり、当該一方面１ａが、使用者Ｓに近い側の面である場合には、内面１ａであるとも言える。
逆に、シート状物１の「他方面１ｂ」とは、該シート状物１の両面（表裏面、表面や裏面）のうち、上述した一方面１ａではない面（他方の面）であり、当該他方面１ｂが、使用者Ｓから遠い側の面である場合には、外面１ｂであるとも言える。
【００１５】
シート状物１は、シート本体１ｃと、後述する把持部１ｄとを有していても（換言すれば、シート本体１ｃと把持部１ｄに分かれていても）良い。
シート状物１は、使い捨て可能であったり、その他、繰り返し使用可能であったり、洗濯可能等であっても良い。
ここまで述べたシート状物１を使用する使用者Ｓについて、まず述べる。
【００１６】
＜使用者Ｓ＞
図１、２等に示したように、使用者Ｓは、上述したシート状物１を使用する者である。
使用者Ｓは、大人であったり、子供であっても良く、その他、体格（身長・体重・体形）、性別、年齢や、使用者Ｓの声量や飛沫の飛ぶ距離なども、特に制限はない。
【００１７】
このような使用者Ｓは、シート状物１をいつ使用しても良く、例えば、飲食店内で会食をする（複数人かで食事をする）時などに使用したり、又、飲食店内で１人で飲食する場合でも、店員等の他者と会話をする時などに使用したり、その他、スポーツ観戦時や、イベント（屋内・屋外を問わない）参加時や、カラオケボックス内での大声等での歌唱時や、発話などの時に使用したり、会議や打合せの際に、コーヒーやお茶等を飲む時などに使用しても構わない。
ここまで述べた使用者Ｓが使用するシート状物１は、飛沫等によって新型コロナウイルス等のウイルスに感染する（換言すれば、鼻や口の咽喉汚染する）ことを抑制するカバーであるとも言えるが、その形状・大きさ等について、以下に詳解する。
【００１８】
＜シート状物１の形状・大きさ等＞
シート状物１の形状・大きさ等は、特に制限はないが、使用者Ｓの体格（身長・体重・体形）、性別、年齢等に応じた任意の大きさであっても（様々な大きさを揃えていても）良い。
シート状物１の形状は、例えば、略矩形状（略長方形状）や、略正方形状であったり、略円形状、略楕円形状、略団扇（うちわ）形状、略扇形状（略扇子（せんす）形状）などであっても良い。
以下、シート状物１の形状は、主に略矩形状であるとして述べる
【００１９】
シート状物１の大きさも、特に限定はないが、形状が略矩形状であるならば、例えば、長辺の長さが、１２．０ｃｍ以上３０．０ｃｍ以下、好ましくは１４．０ｃｍ以上２６．０ｃｍ以下、更に好ましくは１６．０ｃｍ以上２２．０ｃｍ以下（１８．３ｃｍなど）であったり、短辺の長さが、１０．０ｃｍ以上２５．０ｃｍ以下、好ましくは１１．０ｃｍ以上２３．０ｃｍ以下、更に好ましくは１２．０ｃｍ以上２１．０ｃｍ以下（１６．５ｃｍなど）であっても良い。
ここで、シート状物１の形状が略矩形状以外の場合も含めて述べれば、長手方向長さ（例えば、シート状物１の形状が略矩形状であれば、長辺の長さであり、略楕円形状であれば、長径の長さ等）は、上述したように、１２．０ｃｍ以上３０．０ｃｍ以下、好ましくは１４．０ｃｍ以上２６．０ｃｍ以下、更に好ましくは１６．０ｃｍ以上２２．０ｃｍ以下（１８．３ｃｍなど）であり、短手方向長さ（例えば、シート状物１の形状が略矩形状であれば、短辺の長さであり、略楕円形状であれば、短径の長さ等）は、上述したように、１０．０ｃｍ以上２５．０ｃｍ以下、好ましくは１１．０ｃｍ以上２３．０ｃｍ以下、更に好ましくは１２．０ｃｍ以上２１．０ｃｍ以下（１６．５ｃｍなど）であるとも言える。
【００２０】
＜長手方向長さと短手方向長さの差＞
このような長手方向長さと短手方向長さの差についても、特に限定はなく、例えば、０．０ｃｍ以上１０．０ｃｍ以下、好ましくは０．０ｃｍ以上５．０ｃｍ以下、更に好ましくは０．０ｃｍ以上３．０ｃｍ以下（１．８ｃｍなど）であっても構わない。
尚、長手方向長さと短手方向長さの差が０．０ｃｍである場合、そのシート状物１は、略正方形状や、略円形状であると言える。
【００２１】
その他、シート状物１が略団扇形状である場合、例えば、それが横長であれば、長手方向長さが左右長さで、短手方向長さが上下長さとなり、縦長であれば、長手方向長さが上下長さで、短手方向が左右長さとなると言え、又、シート状物１が略扇子形状である場合、長手方向長さが左右長さで、短手方向長さが上下長さとなると言える。
ここまで述べたシート状物１の形状・大きさ等とは、シート状物１がシート本体１ｃと把持部１ｄに分かれている場合には、シート本体１ｃ自体の形状・大きさ等であるとも言える。
【００２２】
＜シート状物１の厚み等＞
シート状物１の厚みも、何れの値でも良いが、例えば、０．１ｍｍ以上５．０ｍｍ以下（１００μｍ以上５０００μｍ以下）、好ましくは０．３ｍｍ以上４．０ｍｍ以下（３００μｍ以上４０００μｍ以下）、更に好ましくは０．５ｍｍ以上２．０ｍｍ以下（５００μｍ以上２０００μｍ以下で、０．７ｍｍや１．０ｍｍなど）であっても良い。
【００２３】
シート状物１の１つ当りの重さも、特に限定はないが、例えば、４ｇ以上６０ｇ以下、好ましくは６ｇ以上４０ｇ以下、更に好ましくは８ｇ以上２０ｇ以下（１０ｇや、１２ｇなど）であっても良い。
シート状物１の坪量（目付）も、特に限定はないが、例えば、１００ｇ／ｍ２以上７００ｇ／ｍ２以下、好ましくは１５０ｇ／ｍ２以上５００ｇ／ｍ２以下、更に好ましくは２００ｇ／ｍ２以上３００ｇ／ｍ２以下であっても良い。
【００２４】
シート状物１の素材も、特に限定はないが、和紙や洋紙、ダンボールなどセルロースを原料とする紙であっても良く、より具体的には、ＪＩＳ−Ｐ−０００１：１９９８に記載された紙（植物繊維その他の繊維をこう（膠）着させて製造したもの。なお、広義には、素材として合成高分子物質を配合した紙も含む等）や、板紙（木材パルプ，古紙などを原料として製造した厚い紙の総称）であっても構わない。
又、シート状物１の素材は、不織布であったり、織物（織地）や編物（編地）等の布帛、フィルム等であっても良い。
【００２５】
これら不織布等の布帛や、フィルム等を構成するものとしては、ポリエチレンテレフタレート（ＰＥＴ）やポリトリメチレンテレフタレート（ＰＴＴ）などのポリエステル樹脂や、ポリエチレン（ＰＥ）、ポリプロピレン（ＰＰ）などのポリオレフィン樹脂、ポリアミド（ナイロン）、アクリル系樹脂などの分子内に親水基を多く持つ水溶性樹脂（水性樹脂）等の合成樹脂製であったり、その他、羊毛や絹、綿などの天然素材製であったり、これらを単独又は組み合わせて用いられても良く、ＰＰスパンボンディング不織布などであっても構わない。
その他、シート状物１の素材は、木製などであっても良い。
【００２６】
シート状物１は、その色彩についても、特に限定はなく、例えば、白色系であったり、黄色系、緑色系、青色系、赤色系、橙色系、紫色系、茶色系、黒色系など何れの色調でも良く、その他、１色であったり、複数の色が使用されていても構わない。
シート状物１の色彩は、彩度や明度についても何れの値でも良く、又は、透明度についても、無色透明であったり、有色透明であったり、半透明や不透明であっても構わない。
【００２７】
シート状物１の模様についても、無地や、宣伝広告等の文字・図柄などであったり、花や草木などの植物の柄、動物の柄、幾何学模様、表面凹凸等による模様など何れでも良い。
シート状物１は、全体として（平面視において）その一方面１ａ側か他方面１ｂ側に湾曲していても良く（図２（ａ）、図８等参照）、逆に、略平坦であっても構わない。
【００２８】
シート状物１が略矩形状等の場合、その角部が丸くとも（Ｒが付いていても）良く、その他、角部を面取りしていたり、逆に、角部があっても（角部が尖っていても）構わない。
その他、シート状物１には、撥水性が付与されたり、吸水処理が加工されていても（給水性が付与されていても）良い。
【００２９】
＜シート本体１ｃと把持部１ｄ＞
図１〜８に示したように、シート状物１におけるシート本体１ｃは、その形状等が、ここまで述べたシート状物１自体の形状等であっても良く、以下、シート本体１ｃの形状は、主に略矩形状であるとして述べる
シート状物１における把持部１ｄは、このようなシート本体１ｃに対して設けられた部分であり、当該シート状物１において、上述した使用者Ｓが把持可能な部分であると言える。
【００３０】
把持部１ｄは、シート本体１ｃに対して何れの箇所に設けられていても良いが、例えば、略矩形状等のシート本体１ｃに対して、何れかの１辺における略中央に設けられたり、その他、何れかの１辺における一方寄りや一方端部に設けられたり、何れかの角部などに設けられていても良い。
把持部１ｄは、シート本体１ｃと一体に形成されていたり、シート本体１ｃと別体の把持部１ｄを当該シート本体１ｃに取り付けていても良く、その他、把持部１ｄは、シート状であったり、把持部１ｄは、紙等の素材を複数枚重ねて形成されていても構わない。
【００３１】
把持部１ｄは、その形状等は特に限定はないが、例えば、略半円形状や略半楕円状状であったり、その他、略正方形状、略矩形状であっても良い。
以下、把持部１ｄは、シート本体１ｃに対して、主に、何れかの１辺における略中央に設けられ、略半円形であるとして述べる。
【００３２】
把持部１ｄの大きさも、特に限定はないが、略半円形の把持部１ｄであれば、例えば、直径が、３０．０ｃｍ以上１５．０ｃｍ以下、好ましくは５．０ｃｍ以上１３．０ｃｍ以下、更に好ましくは７．０ｃｍ以上１１．０ｃｍ以下（９．０ｃｍなど）であっても良い。
シート状物１の面積（上述したシート本体１ｃと把持部１ｄに分かれている場合には、シート本体１ｃと把持部１ｄも含めた面積）も、特に限定はないが、例えば、２００ｃｍ２以上９００ｃｍ２以下、好ましくは２５０ｃｍ２以上７００ｃｍ２以下、更に好ましくは３００ｃｍ２以上５００ｃｍ２以下（３３４ｃｍ２など）であっても良い。
【００３３】
把持部１ｄは、開口（孔）が形成されていても良く、その開口の形状や大きさ等も特に限定はないが、その開口の形状は、例えば、略円形状であったり、略円形状の一部（上部等）が欠けた形であったり、その他、略楕円形状や、略矩形状（略長方形状）、略正方形状、略団扇形状、略扇形状（略扇子形状）などであっても良い。
把持部１ｄの開口は、把持部１ｄ内のみで形成されていても良いが、シート本体１ｃと把持部１ｄに亘って形成されていても良く、その他、逆に、形成されていなくとも構わない。
【００３４】
把持部１ｄの坪量（目付）は、特に限定はないが、例えば、シート本体１ｃと略同じ値であったり、異なる値（例えば、把持部１ｄのみ、紙を２重にする等）であっても良い。
把持部１ｄの素材も、シート本体１ｃと同じ素材であっても良く、異なった素材であっても構わない。
【００３５】
把持部１ｄの色彩や模様についても、シート本体１ｃと同様であったり、異なっていても良く、その他、シート本体１ｃと把持部１ｄに亘って、色彩や模様が施されていても構わない。
ここまで述べたシート状物１に付着する抗ウイルス剤２について、以下に詳解する。
【００３６】
＜抗ウイルス剤２＞
図１〜８に示したように、抗ウイルス剤２は、上述したシート状物１に付着しているものである。
抗ウイルス剤２は、シート状物１の一方面１ａと他方面１ｂの両方（両面、表裏面）に付着していても良いし、一方面１ａのみや、他方面１ｂのみに付着していても構わない。
【００３７】
抗ウイルス剤２は、シート状物１の各面１ａ、１ｂの全面に付着していても良いし、各面１ａ、１ｂのうち、少なくとも一部（例えば、使用者Ｓの口の真正面に配置される部分や、シート状物１の略中央部のみ）に付着していても構わない。
抗ウイルス剤２の、シート状物１の一方面１ａや他方面１ｂへの付着は、抗ウイルス剤２を水で希釈した液（水希釈液）や、抗ウイルス剤２を分散状態の水性樹脂に混錬したもの（エマルジョン）に対して、ディッピング（含浸、ドブ浸け）や、グラビアコーターやロールコーター、フレキソコーター等を用いたコーティングにて行われていても良く、その他、スプレー塗布したり、刷毛や筆等の塗布具によって塗布していても構わない。
【００３８】
このような抗ウイルス剤２は、３次元空間中において、所定の粒径（体積等）を有した粒状物であるとも言え、その粒径（平均粒径）は、特に限定はないが、例えば、０．００１μｍ以上２０．０００μｍ以下、好ましくは０．００５μｍ以上１５．０００μｍ以下、更に好ましくは０．０１０μｍ以上１０．０００μｍ以下であっても良い。
又、抗ウイルス剤２の目付（シート状物１に対する付着量）も、特に限定はないが、例えば、乾燥重量などで、０．１ｇ／ｍ２以上２０．０ｇ／ｍ２以下、好ましくは０．３ｇ／ｍ２以上１０．０ｇ／ｍ２以下、更に好ましくは０．５ｇ／ｍ２以上５．０ｇ／ｍ２以下（１．５ｇ／ｍ２など）であっても良い。
【００３９】
＜第四級アンモニウム塩など＞
抗ウイルス剤２は、シート状物１に抗ウイルス性を付与するのであれば、何れの素材であっても良いが、例えば、第四級アンモニウム塩などのカチオン（正の電荷を帯びた陽イオン）系であっても良い。
以下、カチオン系の抗ウイルス剤２として、第四級アンモニウム塩について詳解する。
【００４０】
第四級アンモニウム塩は、より具体的には、塩化ベンザルコニウムであったり、その他、アルキル第四級アンモニウム・カルボン酸塩（少なくとも１つのアルキル基を有した第四級アンモニウムカチオンと、カルボキシ基の塩）や、アルキルジメチルアンモニウム塩（２つのメチル基と、２つのアルキル基を有した第四級アンモニウムカチオンと、アニオンとの塩、アルキルジメチル第四級アンモニウム塩とも言う）、アルキル第四級アンモニウム塩（４つのアルキル基を有した第四級アンモニウムカチオンと、アニオンとの塩）、有機系第四アンモニウム塩、塩化ジデシルジメチルアンモニウムなどであったり、ここまで述べた第四級アンモニウム塩の誘導体（基本構造はそのままで、一部が他の原子団と置き換わったもの）であっても良い。
このような第四級アンモニウム塩は、上述したシート状物１の素材が紙（つまり、セルロース）である場合、当該セルロースと共有結合をし（反応し）、この共有結合により、抗ウイルス剤２として、シート状物１に付着するとも言える（図３参照）。
【００４１】
ここで、第四級アンモニウム塩とセルロースとは、何れの部分同士で共有結合していても良いが、例えば、第四級アンモニウム塩のアルキル基（特に、炭素数が１４〜３０等の長鎖アルキル基）の先端と、セルロースの水酸基などが共有結合をしていても構わない。
よって、第四級アンモニウム塩などのカチオン系の抗ウイルス剤２は、使用者Ｓが使用中のシート状物１をアルコール消毒等の処置を行っても、当該抗ウイルス剤２や、一旦吸着したウイルスが、当該シート状物１から流れ落ちたり、他へ飛び散ったりしないとも言える。
尚、第四級アンモニウム塩は、シート状物１の素材が紙以外である（合成樹脂製の不織布等である）場合でも、シート状物１に対して共有結合して、付着していても良い。
【００４２】
これらの第四級アンモニウム塩のうち、特に、有機系第四アンモニウム塩が主成分である抗ウイルス剤２について詳解すると、当該抗ウイルス剤２が付着した所定の不織布や、当該抗ウイルス剤２が付着した洗濯前と１０回洗濯後のポリエステルと綿の混紡生地（混紡布帛）に、新型コロナウイルスを培養したウイルス液を染み込ませ、常温で１分間放置した後と、１０分間放置した後に反応を停止させた。
反応停止後、それぞれに含まれるウイルス液から新型コロナウイルスを洗い出し、そのウイルス感染価（試料中に含まれる感染性をもつウイルス量）を測定すると、１分間放置した後のウイルス感染価は、不織布で約１／１００以下に不活化され、洗濯前の混紡生地で約１／１００００以下に不活化され、１０回洗濯後の混紡生地では不活性化力の低減が認められるものの約１／１００以下まで不活性化可能であり、又、１０分間放置した後のウイルス感染価は、不織布で約１／１００００以下に不活化され、洗濯前の混紡生地で約１／１００００以下に不活化され、１０回洗濯後の混紡生地では不活性化力の低減が認められるものの約１／１００以下まで不活性化可能であった。
【００４３】
つまり、このような抗ウイルス剤２が付着したシート状物１は、当該シート状物１に吸着した新型コロナウイルス等のウイルスを１分間で不活化できるとも言えることから、速効性があり、シート状物１は「速効性の抗ウイルス剤が付着したシート状物」であるとも言える。
このように、速効性があるとも言える第四級アンモニウム塩などのカチオン系の抗ウイルス剤２の、ウイルスに対する働きを以下に述べる。
【００４４】
ウイルスには、核酸（ＤＮＡやＲＮＡ）を囲むエンベロープ（脂質膜）を有したエンベロープウイルス（新型コロナウイルスやインフルエンザウイルス等）と、このエンベロープを有さないノンエンベロープウイルス（ノロウイルスやアデノウイルス等）が存在する。
エンベロープウイルスのエンベロープは、アニオン（負の電荷を帯びた陰イオン）系のタンパク質で構成される（又は、ｐＨ（ペーハー）が等電点より高い場合に、負の電荷を帯びる）るため、第四級アンモニウム塩などのカチオン（正の電荷を帯びた陽イオン）系の抗ウイルス剤２は、当該エンベロープとイオン結合をするとも言える。
【００４５】
このイオン結合によって、シート状物１に吸着したエンベロープウイルスのエンベロープが、第四級アンモニウム塩によって破壊（分解）され、当該エンベロープウイルスが不活性化されると言える。
尚、第四級アンモニウム塩が塩化ジデシルジメチルアンモニウムを含む場合には、エンベロープを有さないノンエンベロープウイルスをも破壊され、当該ノンエンベロープウイルスが不活性化されると言える。
次に、第四級アンモニウム塩以外の抗ウイルス剤２について述べる。
【００４６】
＜ビグアナイド＞
抗ウイルス剤２は、例えば、ビグアナイド（ビグアニド）であっても良く、上述した第四級アンモニウム塩などのカチオン系と同時に用いていても構わない。
以下、ビグアナイドについて詳解する。
【００４７】
抗ウイルス剤２として、ビグアナイドは、より具体的には、グルコン酸クロルヘキシジン（クロルヘキシジングルコン酸塩）や、酢酸クロルヘキシジン（クロルヘキシジン酢酸塩）、塩酸クロルヘキシジン（クロルヘキシジン塩酸塩）などのクロルヘキシジンであったり、その他、アレキシジン、ポリアミノプロピルビグアニド、ポリヘキサニドなどであったり、ここまで述べたビグアナイドの誘導体であっても良い。
このようなビグアナイドは、上述したシート状物１に対して、バインダーを介して付着させても良いし、バインダーなしで（例えば、シート状物１の素材が紙（つまり、セルロース）や、合成樹脂製の不織布等である場合、当該セルロースと共有結合をして）付着させていても構わない。
【００４８】
よって、ビグアナイドも、使用者Ｓが使用中のシート状物１をアルコール消毒等の処置を行っても、当該抗ウイルス剤２や、一旦吸着したウイルスが、当該シート状物１から流れ落ちたり、他へ飛び散ったりしないとも言える。
このようなビグアナイドも、上述した有機系第四アンモニウム塩が主成分である抗ウイルス剤２と同様の不活性化力を有し、ウイルスに対する働きも同様であるとも言える。
【００４９】
＜第四級アンモニウム塩・ビグアナイドの配合など＞
ここまで述べたビグアナイドは、上述した第四級アンモニウム塩などのカチオン系の抗ウイルス剤２と同時に用いても良い。
例えば、第四級アンモニウム塩の抗ウイルス剤２である塩化ベンザルコニウムに、ビグアナイドであるグルコン酸クロルヘキシジンを配合しても良く、その配合割合は、特に限定はないが、例えば、塩化ベンザルコニウムを１とすると、グルコン酸クロルヘキシジンが、２以上１０以下（塩化ベンザルコニウム：グルコン酸クロルヘキシジン＝１：２〜１：１０）、好ましくは３以上８以下（塩化ベンザルコニウム：グルコン酸クロルヘキシジン＝１：３〜１：８）、更に好ましくは３以上６以下（塩化ベンザルコニウム：グルコン酸クロルヘキシジン＝１：３〜１：６）であっても良く、塩化ベンザルコニウム：グルコン酸クロルヘキシジン＝１：４や１：５であっても構わない。
【００５０】
＜非イオン浸透剤＞
抗ウイルス剤２は、上述した第四級アンモニウム塩などのカチオン系や、ビグアナイド以外に、非イオン浸透剤（ノニオン界面活性剤、脱気浸透剤）を含んでいても良く、上述した第四級アンモニウム塩などのカチオン系や、ビグアナイドと同時に用いていても構わない。
以下、非イオン浸透剤について詳解する。
【００５１】
非イオン浸透剤は、より具体的には、グリセリン脂肪酸エステルなどのエステル型であったり、ポリ(オキシエチレン)アルキルエーテルや、ポリ（オキシエチレン）アルキルフェニルエーテル、ポリ（オキシエチレン）ポリオキシプロピレングリコールなどのエーテル型、脂肪酸ポリエチレングリコールなどのエステル−エーテル型、脂肪酸アルカノールアミドなどのアルカノールアミド型などであったり、ここまで述べた非イオン浸透剤の誘導体であっても良い。
このような非イオン浸透剤も、上述したシート状物１に対して、バインダーを介して付着させても良いし、バインダーなしで付着させていても構わない。
【００５２】
よって、抗ウイルス剤２に含まれる非イオン浸透剤も、使用者Ｓが使用中のシート状物１をアルコール消毒等の処置を行っても、当該抗ウイルス剤２や、一旦吸着したウイルスが、当該シート状物１から流れ落ちたり、他へ飛び散ったりしないとも言える。
このような非イオン浸透剤の働きについて、以下に述べる。
【００５３】
シート状物１の素材として選んだ紙等や、後述する把持物１０（既存の団扇など）には撥水性が付与されている場合があるところ、抗ウイルス剤２に非イオン浸透剤を含ませる（併用する）ことによって、シート状物１に吸水処理（吸着処理）を施すこととなり、当該シート状物１の吸水性が向上する。
よって、当該シート状物１にウイルスが付いた際には、当該ウイルスがシート状物１に素早く吸着し、破壊されるとも言える。
【００５４】
＜試験＞
ここからは、まず本発明に係るシート状物１の実施例と比較例について言及する。
これらの実施例と比較例を用いて、後述する試験を行う。
【００５５】
＜実施例＞
不織布（不織布製のアイソレーションガウンの一部）における一方面及び／又は他方面の各全面に対して、抗ウイルス剤２として、第四級アンモニウム塩である塩化ベンザルコニウム（大阪化成株式会社製のマルカサイドＢＣ−ＩＸＡなど）と、カチオン系の抗ウイルス剤（大阪化成株式会社製のマルカサイドＡＶなど）と、非イオン浸透剤（日華化学株式会社製のテキスポートＢＧ−２９０など）を、水で希釈した液（水希釈液）によるディッピングにて付着させたシート状物１を、実施例とした。
尚、水希釈液中には、塩化ベンザルコニウムは０．５％、カチオン系の抗ウイルス剤は２．０％、非イオン浸透剤は０．５％含まれている。
【００５６】
＜比較例＞
実施例における不織布に対して、抗ウイルス剤２（塩化ベンザルコニウム、カチオン系の抗ウイルス剤及び非イオン浸透剤）を一切付着させていないシート状物を、比較例とした。
尚、比較例は、ブランクであるとも言える。
【００５７】
＜試験（抗ウイルス性）＞
試験では、上述した実施例と比較例に対して、ＪＩＳ−Ｌ−１９２２：２０１６に示される繊維製品の抗ウイルス性試験を行い、その結果として、実施例と比較例の感染価と、実施例の抗ウイルス活性値を、以下の表１にて示す。
ここで、本発明における「ＪＩＳ−Ｌ−１９２２：２０１６に示される繊維製品の抗ウイルス性試験」とは、当該ＪＩＳに記載された通りの繊維製品の抗ウイルス性試験であると共に、当該ＪＩＳに記載された繊維製品の抗ウイルス性試験に準じる（当該ＪＩＳに記載された繊維製品の抗ウイルス性試験を準用する）繊維製品の抗ウイルス性試験も含む。
又、この試験において、使用ウイルス（ウイルス株）は、インフルエンザウイルス「Influenza A virus(H3N2): A/Hong Kong/8/68: TC adapted ATCC VR-1679」であり、使用細胞（宿主細胞）は、「MDCK 細胞 （イヌ腎臓由来細胞） ATCC CCL-34」である（使用細胞や使用ウイルスは、国立感染症研究所より分与されていても良い）。
【００５８】
試験では、＜１＞検体（試料）として、所定の数ごとのシート状物１の実施例０．４ｇと、シート状物の比較例０．４ｇを、１つずつバイアル瓶に入れて準備をし、＜２＞上述の各バイアル瓶に使用ウイルスを２００μＬ（０．２ｍＬ）たらし（接種し）、２５℃にて１２０分（２時間）バイアル瓶内に保ち（静置し）、＜３＞各バイアル瓶に、ＳＣＤＬＰ培地を８ｍＬずつ加え、ボルテックスミキサーにて１分間×３回攪拌して、各試料からウイルスを洗い出し、＜４＞ウイルス洗い出し液を４℃（低温）に保ち、実施例と比較例の感染価を測定し、実施例の抗ウイルス活性値（Ｍｖ）を計算した。
尚、感染価（抗ウイルス感染価）の測定は、ＪＩＳ−Ｌ−１９２２：２０１６の１３．１や１４．１に示されたプラーク測定法にて行った。
【００５９】
【表１】
0003234412.tif 000003
【００６０】
＜試験（抗ウイルス性）の評価＞
表１に示すように、抗ウイルス剤２が付着したシート状物１である実施例は、感染価が「７．１×１０２」ＰＦＵ（Plaque Forming Units）／０．１ｍＬとなっており、これは、ウイルスを接種してから２時間後における、ウイルス洗い出し液０．１ｍＬ中のプラーク（一つの感染性ウイルス粒子が細胞に感染・増殖することによって、半固体培地下の単層細胞中で形成される細胞溶解部分）の数が「７．１×１０２（７１０）」であることを示す。
しかし、抗ウイルス剤２が一切付着していないシート状物である比較例は、感染価が「３．１×１０６」ＰＦＵ／０．１ｍＬであり、ウイルスを接種してから２時間後における、ウイルス洗い出し液０．１ｍＬ中のプラークの数が「３．１×１０６（３１０００００）と、実施例と比べて圧倒的に多くなっている。
更に、実施例の抗ウイルス活性値は「３．１」となっているところ、ＪＩＳ−Ｌ−１９２２：２０１６の附属書Ｇの表Ｇ．１では、抗ウイルス効果について、抗ウイルス活性値Ｍｖの基準値として、「３＞Ｍｖ≧２．０」の時は「効果あり」と記載され、「Ｍｖ≧３．０」の時は「十分な効果あり」と記載されていることから、抗ウイルス剤２が付着したシート状物１である実施例は、抗ウイルス繊維製品として、十分な効果がある。
【００６１】
＜把持物１０＞
図１〜３に示したように、把持物１０は、上述した使用者Ｓが把持するものであり、後述するシート状部１１と把持部１２を有しており、このうち、少なくともシート状部１１に、上述した抗ウイルス剤２が付着している。
把持物１０は、使用者Ｓに把持されるのであれば、その構成は特に限定はないが、例えば、既存の団扇（うちわ）や扇子（せんす）などであったり、新たに抗ウイルス剤２を付着させるために製造した扇子や団扇等であっても良い。
【００６２】
把持物１０が既存の団扇等である場合には、そのシート状部１１などに対して、上述した抗ウイルス剤２を、後からスプレー塗布をしたり、ディッピングやコーティング等にて
付着させても構わない。
以下、シート状部１１について述べる。
【００６３】
＜シート状部１１＞
図１〜３に示したように、シート状部１１は、上述した把持物１０において、シート状となっている部分である。
例えば、把持物１０が団扇であれば、合成樹脂製や木製等の骨材を、紙等の素材で挟んだ部材であり、把持物１０が扇子であれば、当該扇子を拡げた際に平面視（上から見て）略ジグザグ状となる紙等の素材と、これを支える木製等の骨材などからなる拡がった部分であると言える。
【００６４】
ここで、把持物１０におけるシート状部１１の「一方面１１ａ」とは、当該シート状部１１の両面（表裏面、表面や裏面）のうち、何れか一方の面であり、当該一方面１１ａが、使用者Ｓに近い側の面である場合には、内面１１ａであるとも言える。
逆に、把持物１０におけるシート状部１１の「他方面１１ｂ」とは、該シート状部１１の両面（表裏面、表面や裏面）のうち、上述した一方面１１ａではない面（他方の面）であり、当該他方面１１ｂが、使用者Ｓから遠い側の面である場合には、外面１１ｂであるとも言える。
【００６５】
このようなシート状部１１の一方面１１ａ及び／又は他方面１１ｂの少なくとも一部に、上述した抗ウイルス剤２が付着されている。
その他のシート状部１１等の構成、作用効果や使用態様は、上述したシート状物１と同様である。
【００６６】
＜把持部１２＞
図１、２に示したように、把持部１２は、上述したシート状部１１に対して設けられた部分であり、当該把持物１０において、使用者Ｓが把持可能な部分であると言える。
把持部１２は、その構成に特に限定はないが、例えば、把持物１０が団扇である場合、そのシート状部１１の下部等に取り付けられた棒状材などの部材が把持部１２であり、把持物１０が扇子である場合、そのシート状部１１の骨材等の下端の部分や、各骨材を回動可能に軸支する軸部近傍の部分が把持部１２であるとも言える。
このような抗ウイルス剤２が付着した把持物１０も、そのシート状部１１に吸着した新型コロナウイルス等のウイルスを、上述したように、１分間で不活化できるとも言えることから、速効性があり、把持物１０は「速効性の抗ウイルス剤が付着した把持物」であるとも言える。
【００６７】
＜シート状物１、把持物１０の使用方法＞
図１、２に示したように、シート状物１、把持物１０の使用方法とは、上述したように、使用者Ｓが、飲食時等で発話や発声などをする際には、シート状物１そのものや、把持物１０の把持部１２を手で把持して、当該使用者Ｓの口の前に持っていき（口や鼻等を覆い）、発話などの後、実際に飲食をする際には、シート状物１や把持物１０を、飲食時のテーブル上等に置くこととなる。
尚、シート状物１全体が、その一方面１ａ側か他方面１ｂ側に湾曲している場合には、使用者Ｓは、シート状物１の湾曲している内側を、当該使用者Ｓに近い側として、口や鼻等を覆っても良い。
【００６８】
使用者Ｓは、シート状物１や把持物１０で、その口や鼻等を覆うこととなるが、その際、使用者Ｓと、シート状物１や把持物１０との距離（使用者Ｓの口や唇の前端からシート状物１・把持物１０までの距離、又は、使用者Ｓの鼻の前端からシート状物１・把持物１０までの距離）Ｘは、特に限定はないが、使用者Ｓの体格等や、飛沫の飛ぶ距離・範囲に応じた距離であっても良い。
この距離Ｘについて、より具体的には、例えば、３ｃｍ以上２０ｃｍ以下、好ましくは５ｃｍ以上１８ｃｍ以下、更に好ましくは７ｃｍ以上１３ｃｍ以下（１０ｃｍ前後など）であっても良い。
【００６９】
＜シート状物１の製造方法＞
シート状物１の製造方法は、作成工程と付着工程を備えていても良い（作成工程と付着工程を備えた当該製造方法を、第１実施形態とする）。
その他、当該製造方法は、包装工程を更に備えていても良い（作成工程と付着工程の他に、包装工程も備えた当該製造方法を、第２実施形態とする）。
【００７０】
作成工程は、抗ウイルス剤２を付着させる前のシート状の物を作成する工程である。
作成工程は、シート状の物を作成できるのであれば、何れの方法でも良いが、例えば、シート状物１の素材となる紙等を、トムソン打抜機などを用いて型で打ち抜く（プレス）加工によってシート状の物を作成したり、その他、シート状物１の素材となる紙等から、カッター、鋏等で切り出してシート状の物を作成する等しても構わない。
【００７１】
付着工程は、上述した作成工程で作成したシート状の物に、上述した抗ウイルス剤２を付着する工程である。
付着工程は、シート状の物の一方面や他方面の少なくとも一部に対して、抗ウイルス剤２を水で希釈した液や、抗ウイルス剤２を分散状態の水性樹脂に混錬したものを、ディッピングやコーティング、スプレー塗布などにて付着させる。
【００７２】
包装工程は、上述した付着工程で抗ウイルス剤２を付着させたシート状物１を包装する工程である。
包装工程は、抗ウイルス剤２を付着させたシート状物１を包装用の袋（透明な袋など）に入れたり、包装シートなどで覆う等を行う。
【００７３】
＜把持物１０の製造方法＞
把持物１０の製造方法は、付着工程のみを備えていても良い（付着工程のみを備えた当該製造方法を、第１実施形態とする）。
当該製造方法は、付着工程の前に、作成工程を備えていても良い（作成工程と付着工程を備えた当該製造方法を、第２実施形態とする）。
その他、当該製造方法は、包装工程を更に備えていても良い（付着工程の他に、包装工程も備えた当該製造方法を、第３−１実施形態とすし、作成工程と付着工程の他に、包装工程も備えた当該製造方法を、第３−２実施形態とする）。
【００７４】
付着工程は、既存の団扇等におけるシート状部や、後述する作成工程で作成した把持可能な物におけるシート状部に、上述した抗ウイルス剤２を付着する工程である。
付着工程は、シート状部の一方面や他方面の少なくとも一部に対して、抗ウイルス剤２を水で希釈した液や、抗ウイルス剤２を分散状態の水性樹脂に混錬したものを、ディッピングやコーティング、スプレー塗布などにて付着させる。
【００７５】
作成工程は、抗ウイルス剤２を付着させる前の、使用者Ｓが把持可能な物を作成する工程である。
作成工程は、把持可能な物を作成できるのであれば、何れの方法でも良いが、例えば、把持可能な物が団扇であれば、合成樹脂製や木製等の骨材を、紙等の素材で挟んだシート状の部材に、棒状材などの部材を取り付けたり（必ずしも骨材は有さずとも良く）、把持可能な物が扇子であれば、当該扇子を拡げた際に平面視（上から見て）略ジグザグ状となる紙等の素材に、これを支える木製等の骨材などを取り付けて、各骨材等の下端の部分を回動可能に軸部で軸支しても良い。
【００７６】
包装工程は、作成工程の有無を問わず、上述した付着工程で抗ウイルス剤２を付着させた把持物１０を包装する工程である。
包装工程は、抗ウイルス剤２を付着させた把持物１０を包装用の袋（透明な袋など）に入れたり、包装シートなどで覆う等を行う。
【００７７】
＜その他＞
尚、本考案は、前述した実施形態に限定されるものではない。シート状物１、把持物１０等の各構成又は全体の構造、形状、寸法などは、本考案の趣旨に沿って適宜変更することが出来る。
シート状物１や把持物１０は、抗ウイルス剤以外に、抗菌剤や、抗アレルゲン剤、消臭剤、防カビ剤、難燃剤、撥水剤、防汚剤、着色剤、香料、発泡剤等が付着されていても良く、その他、所望により、酸化チタン、炭酸カルシウム等の体質顔料やフィラー（充填材）を任意に添加されていても構わない。
シート状物１や把持物１０は、上述したように、包装用の袋に入れられる等しても良く、この場合、使用者Ｓが使用する際には、シート状物１や把持物１０を包装用の袋等から出して使用する。
【００７８】
シート状物１は、シート本体１ｃと把持部１ｄを有さなくとも（シート本体１ｃと把持部１ｄに分かれていなくとも）良く、逆に、シート本体１ｃや把持部１ｄ以外に、その他の部分が取り付けられていても構わない。尚、シート状物１がシート本体１ｃと把持部１ｄに分かれている場合、シート本体１ｃのみに抗ウイルス剤２が付着し、把持部１ｄには抗ウイルス剤２が付着していなくとも良く、又、シート本体１ｃと把持部１ｄの両方に抗ウイルス剤２が付着していても構わない。
把持物１０は、シート状部１１や把持部１２以外に、その他の部分が取り付けられていても良い。尚、把持物１０は、シート状部１１のみに抗ウイルス剤２が付着し、把持部１２には抗ウイルス剤２が付着していなくとも良く、又、シート状部１１と把持部１２の両方に抗ウイルス剤２が付着していても構わない。
シート状物１の素材が紙の場合、その紙を構成するセルロースは、特に電荷を有さないセルロースであっても良いが、その他、カルボキシメチルセルロース等のアニオン化したセルロースなどであっても構わない。
【００７９】
尚、抗ウイルス剤２は、付着させる対象物が、シート状であるか（シート状部１１を有するか）等を問わなくとも良く、例えば、アイソレーションガウンに付着させたり、又、合成繊維の不織布や、織地、編地などの布帛、タオル、シャツに付着させたり、その他、間仕切り、パーティション、衝立や、不織布製や布帛製等のマスクなど、様々な形状・大きさの紙製品や、繊維製品、合成樹脂製品、木製品等に付着させても構わない。
又、第四級アンモニウム塩などのカチオン系の抗ウイルス剤２も、シート状物１にバインダーを介して付着されていても構わない。
【００８０】
抗ウイルス剤２は、第四級アンモニウム塩のみが含まれていたり、ビグアナイドのみであったり、第四級アンモニウム塩とビグアナイドの両方を含んでいても良い。
その他、抗ウイルス剤２は、非イオン浸透剤が含まれていても良く、詳しくは、第四級アンモニウム塩と非イオン浸透剤が含まれていたり、ビグアナイドと非イオン浸透剤が含まれていたり、第四級アンモニウム塩とビグアナイドと非イオン浸透剤の３つを含んでいても構わない。
カチオン系の抗ウイルス剤２は、第四級アンモニウム塩以外に、ピリジニウム塩、イミダゾリニウム塩、イソキノリニウム塩などが含まれていても良い。
【産業上の利用可能性】
【００８１】
本考案のシート状物、把持物は、飲食店、店舗などで飲食する者が使用者として利用したり、会議や打合せの際にコーヒー等を飲む者が使用者として利用するだけでなく、飲食等の有無を問わず、スポーツ観戦をする者や、イベントに参加する者、カラオケボックス内で歌唱や発話する者が使用者として利用する等、何れの使用者に対しても利用可能である。
【符号の説明】
【００８２】
１            シート状物
１ａ          シート状物の一方面
１ｂ          シート状物の他方面
２            抗ウイルス剤
１０          把持物
１１          シート状部
１１ａ        シート状部の一方面
１１ｂ        シート状部の他方面
【図１】
0003234412.tif 000004
【図２】
0003234412.tif 000005
【図３】
0003234412.tif 000006
【図４】
0003234412.tif 000007
【図５】
0003234412.tif 000008
【図６】
0003234412.tif 000009
【図７】
0003234412.tif 000010
【図８】
0003234412.tif 000011